(57)【特許請求の範囲】
【請求項１】
かご室を形成する側板と、前記かご室に開閉可能に設けられる扉部と、前記側板に設けられる操作盤と、を備えた乗りかごにおいて、
前記操作盤は、
前記乗りかごの操作及び外部との連絡を行う操作ボタン群と、
前記操作ボタン群が設けられ、前記側板に形成された取付窓を覆う操作パネルと、
前記操作パネル及び前記取付窓と対向する対向面及び、前記操作パネル及び前記取付窓と対向しない箇所に配置されて前記対向面に連続する突出面を有し、前記かご室の外側に配置されるカバー部材と、
前記カバー部材の前記突出面に配置され、前記操作ボタン群とボタン側接続ケーブルを介して接続される配線基板と、
前記カバー部材の前記突出面から前記側板に向けて突出する棒状の支持部材と、
を備え、
前記配線基板は、前記支持部材により前記カバー部材に固定され、
前記支持部材における前記突出面側の端部とは反対側の端部は、前記配線基板に設けた前記ボタン側接続ケーブルと接続されるコネクタよりも前記側板に接近して配置される
乗りかご。
【請求項２】
前記突出面は、前記操作パネル及び前記取付窓よりも鉛直方向の下方に配置される
請求項１に記載の乗りかご。
【請求項３】
前記支持部材における前記突出面側の端部と反対側の端部と、前記側板との間には、隙間が形成される
請求項１に記載の乗りかご。
【請求項４】
前記支持部材における前記突出面側の端部と反対側の端部と、前記側板との間には、クッション部材が介在される
請求項１に記載の乗りかご。
【請求項５】
前記支持部材における前記突出面側の端部とは反対側の端部は、前記側板に接触する
請求項１に記載の乗りかご。
【請求項６】
昇降路内を昇降動作する乗りかごを備えたエレベータにおいて、
前記乗りかごは、
かご室を形成する側板と、
前記かご室に開閉可能に設けられる扉部と、
前記側板に設けられる操作盤と、を備え、
前記操作盤は、
前記乗りかごの操作及び外部との連絡を行う操作ボタン群と、
前記操作ボタン群が設けられ、前記側板に形成された取付窓を覆う操作パネルと、
前記操作パネル及び前記取付窓と対向する対向面及び、前記操作パネル及び前記取付窓と対向しない箇所に配置されて前記対向面に連続する突出面を有し、前記かご室の外側に配置されるカバー部材と、
前記カバー部材の前記突出面に配置され、前記操作ボタン群とボタン側接続ケーブルを介して接続される配線基板と、
前記カバー部材の前記突出面から前記側板に向けて突出する棒状の支持部材と、
を備え、
前記配線基板は、前記支持部材により前記カバー部材に固定され、
前記支持部材における前記突出面側の端部とは反対側の端部は、前記配線基板に設けた前記ボタン側接続ケーブルと接続されるコネクタよりも前記側板に接近して配置される
エレベータ。
【発明の詳細な説明】
【技術分野】
【０００１】
本発明は、かご室内に各種操作を行う操作盤が配置された乗りかご、及びこの乗りかごを備えたエレベータに関するものである。
【背景技術】
【０００２】
従来、乗りかごにおける人や荷物を載せるかご室には、乗りかごの行先階登録や、扉部の開閉操作を行う操作盤が設けられている。また、近年では、昇降路の省スペース化に伴い昇降路と乗りかごとの間隔が狭くなっており、操作盤の薄型化が求められている。
【０００３】
操作盤の薄型化を図るための技術としては、例えば、特許文献１に記載されている。この特許文献１に記載された技術は、乗りかごの操作を行う操作ボタン群と、操作ボタン群が配設された操作パネルと、操作ボタン群とボタンハーネスを介して接続されるプリント板と、を備えている。また、特許文献１に記載された技術は、作ボタン群、プリント板及びボタンハーネスを収納するボックスと、を備えている。そして、操作盤の薄型化を図るために、プリント板は、ボックスにおける操作パネルと対向しない箇所に配置されている。
【０００４】
また、側板における操作盤が取り付けられる箇所には、操作パネルを嵌め込み、プリント板に相当する配線基板やボックスに相当するカバー部材を挿入するための取付窓が開口されているため、側板における取付窓の周縁部の強度が低下する。したがって、側板の強度を高めるために、取付窓の周縁部に補強部材を設けることが求められている。
【先行技術文献】
【特許文献】
【０００５】
【特許文献１】特開２０１１−１８１４１８５号公報
【発明の概要】
【発明が解決しようとする課題】
【０００６】
しかしながら、特許文献１に記載された技術では、配線基板がボックスにおける操作パネル及び取付窓と対向しない箇所に配置されるため、ボタン側接続ケーブルが取付窓の周縁部の一部を通過していた。その結果、ボタン側接続ケーブルと補強部材が干渉するため、取付窓の周縁部におけるボタン側接続ケーブルが通過する箇所に補強部材を設けることが難しく、側板の強度が低下する、という問題を有していた。
【０００７】
本発明の目的は、上記の問題点を考慮し、取付窓の周縁部におけるボタン側接続ケーブルが通過する箇所の補強を容易に行うことができる乗りかご及びエレベータを提供することにある。
【課題を解決するための手段】
【０００８】
上記課題を解決し、本発明の目的を達成するため、本発明の乗りかごは、かご室を形成する側板と、かご室に開閉可能に設けられる扉部と、側板に設けられる操作盤と、を備えた乗りかごである。
操作盤は、操作ボタン群と、操作パネルと、カバー部材と、配線基板と、棒状の支持部材と、を備えている。操作ボタン群は、乗りかごの操作及び外部との連絡を行う。操作パネルは、操作ボタン群が設けられ、側板に形成された取付窓を覆う。カバー部材は、操作パネル及び取付窓と対向する対向面及び、操作パネル及び取付窓と対向しない箇所に配置されて対向面に連続する突出面を有している。また、カバー部材は、かご室の外側に配置される。配線基板は、カバー部材の突出面に配置され、操作ボタン群とボタン側接続ケーブルを介して接続される。支持部材は、カバー部材の突出面から側板に向けて突出する。
配線基板は、支持部材によりカバー部材に固定され、支持部材における突出面側の端部とは反対側の端部は、配線基板に設けたボタン側接続ケーブルと接続されるコネクタよりも側板に接近して配置される。
【０００９】
また、本発明のエレベータは、昇降路内を昇降動作する乗りかごを備えたエレベータにおいて、乗りかごは、かご室を形成する側板と、かご室に開閉可能に設けられる扉部と、側板に設けられる操作盤と、を備えている。操作盤は、上述した操作盤が用いられる。
【発明の効果】
【００１０】
本発明の乗りかご及びエレベータによれば、取付窓の周縁部におけるボタン側接続ケーブルが通過する箇所の補強を容易に行うことができる。
【図面の簡単な説明】
【００１１】
【図１】本発明の実施の形態例にかかるエレベータを示す概略構成図である。
【図２】本発明の実施の形態例にかかるエレベータの乗りかごを示す概略構成図である。
【図３】本発明の実施の形態例にかかる乗りかごの側板に設けられた操作盤を示す正面図である。
【図４】本発明の実施の形態例にかかる乗りかごの側板に設けられた操作盤を示す背面図である。
【図５】本発明の実施の形態例にかかる乗りかごの操作盤を示す正面図である。
【図６】本発明の実施の形態例にかかる乗りかごの操作盤を示す側面図である。
【図７】本発明の実施の形態例にかかる乗りかごの操作盤の要部を拡大して示す断面図である。
【発明を実施するための形態】
【００１２】
以下、本発明のエレベータの実施の形態例について、図１〜図７を参照して説明する。なお、各図において共通の部材には、同一の符号を付している。
【００１３】
＜エレベータの構成＞
まず、本発明の実施の形態例（以下、「本例」という。）にかかるエレベータの構成について、図１を参照して説明する。
図１は、本例のエレベータの構成例を示す概略構成図である。
【００１４】
図１に示すように、本例のエレベータ１は、建物構造物内に形成された昇降路１１０内を昇降動作する。エレベータ１は、人や荷物を載せる乗りかご１２０と、ロープ１３０と、釣合錘１４０と、巻上機１００とを備える。昇降路１１０は、建築構造物内に形成され、その頂部には機械室１６０が設けられている。
【００１５】
巻上機１００は、機械室１６０に配置され、ロープ１３０を巻き掛けることにより乗りかご１２０を昇降させる。また、巻上機１００の近傍には、ロープ１３０が装架される反らせ車１５０が設けられている。
【００１６】
釣合錘１４０は、乗りかご１２０における無積載時の質量とほぼ同じ質量に設定されている。そのため、乗りかご１２０内に物や人が積載されていない無積載時では、乗りかご１２０側と釣合錘１４０側のロープ１３０の張力比は、１となる。これにより、無積載時における巻上機１００の出力を低く抑えることが可能である。
【００１７】
乗りかご１２０は、中空の略直方体状に形成されている。乗りかご１２０は、ロープ１３０を介して、釣合錘１４０と連結され、昇降路１１０内を昇降する。
【００１８】
＜乗りかごの構成＞
次に、図２を参照して本例の乗りかご１２０について説明する。
図２は、本例の乗りかごの内部の様子を示す概略構成図である。
【００１９】
図２に示すように、乗りかご１２０は、かご室２と、扉部３と、第１操作盤９と、第２操作盤１０とを備えている。かご室２は、中空の直方体状に形成されている。また、かご室２には、一面が開口した出入り口２ａが設けられている。そして、かご室２の内部空間には、出入り口２ａから人や荷物が出入りされる。
【００２０】
また、かご室２は、かご床５と、天井６と、第１側板７と、第２側板８とを、有している。かご床５は、矩形状に形成されており、かご室２の床面となる。天井６は、矩形状に形成されている。天井６は、かご床５に対して鉛直方向に対向し、かご室２の鉛直方向の上部に配置される。
【００２１】
第１側板７及び第２側板８は、かご床５の周囲にかご床５に対して垂直に立設されている。第１側板７は、出入り口２ａ側の一面に配置され、出入り口２ａの水平方向の両側に配置される。かご室２の出入り口２ａには、扉部３が開閉可能に設けられる。第２側板８は、かご室２における出入り口２ａ側の一面を除く他の側面に配置されている。
【００２２】
第１側板７には、第１操作盤９が配置されており、第２側板８には、第２操作盤１０が配置されている。
【００２３】
第１操作盤９は、乗りかご１２０の行先階を登録する行先階ボタンが鉛直方向に沿って配列された、いわゆる縦型操作盤である。また、第２操作盤１０は、行先ボタンが鉛直方向と直交する水平方向に沿って配列された、いわゆる横型操作盤である。
【００２４】
第２操作盤１０は、例えば第１操作盤９に手が届かない背の低い利用者や、車いす利用者等のために第１操作盤９よりも鉛直方向の下方に配置されている。
【００２５】
＜第２操作盤の構成＞
次に、図３〜図７を参照して第２操作盤１０の詳細な構成について説明する。
図３は、第２側板８に配置された第２操作盤１０を示す正面図である。図４は、第２側板８に配置された第２操作盤１０を示す背面図である。図５は、第２操作盤１０を示す正面図、図６は、第２操作盤１０を示す側面図である。図７は、第２操作盤１０の要部を拡大して示す断面図である。
【００２６】
図３に示すように、第２側板８には、矩形状の取付窓８ａが開口している。この取付窓８ａには、第２操作盤１０が取り付けられている。また、図４に示すように、第２側板８におけるかご室２の内側の表面８ｂと反対側の裏面８ｃには、上部補強部材２１と、２つの側部補強部材２２Ａ，２２Ｂが固定されている。
【００２７】
上部補強部材２１は、取付窓８ａの周縁部における鉛直方向の上方に配置されている。また、第１側部補強部材２２Ａは、取付窓８ａの周縁部における水平方向の一側に配置されており、第２側部補強部材２２Ｂは、取付窓８ａの周縁部における水平方向の他側に配置されている。上部補強部材２１と、２つの側部補強部材２２Ａ，２２Ｂにより、側板８における取付窓８ａの周縁部の上部と、水平方向の両側の強度が補強される。
【００２８】
図５及び図６に示すように、第２操作盤１０は、操作パネル１１と、カバー部材１２と、配線基板１４と、支持部材１７とを有している。操作パネル１１は、矩形状の平板状に形成されている。操作パネル１１は、取付窓８ａを覆い、かつ第２側板８の表面８ｂからかご室２の内側に突出している。そして、操作パネル１１におけるかご室２の内側に露出する一面１１ａが、第２操作盤１０の意匠面となる。
【００２９】
操作パネル１１には、操作ボタン群３０が設けられている。操作ボタン群３０は、行先ボタン３１と、扉部３を開閉操作する開閉ボタン３２と、非常時に外部と連絡をとるための連絡装置３３とを有している。そして、行先ボタン３１、開閉ボタン３２及び連絡装置３３は、使用者が押圧操作する押圧面が操作パネル１１の一面１１ａから露出している。また、行先ボタン３１、開閉ボタン３２及び連絡装置３３における押圧面と反対側には、それぞれボタン側接続ケーブル１８が接続されている。ボタン側接続ケーブル１８は、操作パネル１１の一面１１ａと反対側の他面１１ｂに沿うように配置されている。
【００３０】
また、操作パネル１１の他面１１ｂには、カバー部材１２が設けられている。カバー部材１２は、中空の容器状に形成されている。このカバー部材１２は、配線基板１４と、ボタン側接続ケーブル１８を収納する。また、カバー部材１２は、長方形状に形成された主面部２３と、２つの側面部２４Ａ，２４Ｂとを有している。
【００３１】
図６に示すように、主面部２３は、操作パネル１１の他面１１ｂ及び第２側板８の取付窓８ａと対向する対向面２３ａと、対向面２３ａに連続する突出面２３ｂとを有している。突出面２３ｂは、対向面２３ａにおける鉛直方向の下端部から突出している。そして、第２操作盤１０を第２側板８に取り付けた際、突出面２３ｂは、操作パネル１１の他面１１ｂ及び取付窓８ａと対向しない箇所に配置される。本例では、突出面２３ｂは、操作パネル１１の他面１１ｂ及び取付窓８ａよりも鉛直方向の下方に配置される。
【００３２】
さらに、図７に示すように、突出面２３ｂには、後述する支持部材１７を構成する取付ボルト２６が貫通する複数の取付孔３６が形成されている。
【００３３】
図５に示すように、第１側面部２４Ａは、主面部２３における水平方向の一端から操作パネル１１側に向けて略垂直に連続している。第２側面部２４Ｂは、主面部２３における水平方向の他端から操作パネル１１側に向けて略垂直に連続している。第１側面部２４Ａ及び第２側面部２４Ｂは、主面部２３を間に挟んで対向する。
【００３４】
また、図６に示すように、第１側面部２４Ａ及び第２側面部２４Ｂにおける主面部２３と反対側の端部における対向面２３ａ側には、操作パネル１１が固定されている。図５に示すように、第１側面部２４Ａ及び第２側面部２４Ｂにおける突出面２３ｂ側の間は、開放されている。
【００３５】
図６に示すように、第１側面部２４Ａ及び第２側面部２４Ｂには、それぞれ固定孔３５が形成されている。固定孔３５は、第１側面部２４Ａ及び第２側面部２４Ｂにおける対向面２３ａ側に形成されている。
【００３６】
図４に示すように、第２操作盤１０を第２側板８に取り付けた際、第１側面部２４Ａは、第１側部補強部材２２Ａと対向し、第２側面部２４Ｂは、第２側部補強部材２２Ｂと対向する。そして、カバー部材１２は、第１側面部２４Ａ及び第２側面部２４Ｂに設けた固定ボルト３８を螺合することで、第１側部補強部材２２Ａ及び第２側部補強部材２２Ｂに固定される。
【００３７】
図５及び図６に示すように、カバー部材１２の突出面２３ｂには、配線基板１４が取り付けられている。配線基板１４は、操作ボタン群３０と接続されると共にエレベータ１の制御盤と通信の授受を行う。
【００３８】
図７に示すように、配線基板１４における四隅には、取付孔１４ｃが形成されている。取付孔１４ｃは、配線基板１４を突出面２３ｂに配置した際、突出面２３ｂに設けた取付孔３６と対向する。この取付孔１４ｃには、後述する支持部材１７を構成する取付ボルト２６が貫通する。
【００３９】
さらに、配線基板１４には、第１コネクタ１４ａと、第２コネクタ１４ｂとを有している。第１コネクタ１４ａは、配線基板１４の一端部に設けられており、第２コネクタ１４ｂは、配線基板１４の他端部に設けられている。配線基板１４をカバー部材１２に収納した際、第１コネクタ１４ａは、操作パネル１１の近傍に配置され、第２コネクタ１４ｂは、第１コネクタ１４ａよりも鉛直方向の下方に配置される。
【００４０】
第１コネクタ１４ａには、ボタン側接続ケーブル１８が接続され、第２コネクタ１４ｂには、制御盤接続ケーブル１９が接続される。ボタン側接続ケーブル１８は、操作ボタン群３０に接続され、制御盤接続ケーブル１９は、エレベータ１の制御盤に接続される。図６及び図７に示すように、ボタン側接続ケーブル１８は、取付窓８ａの周縁部における鉛直方向の下方を通過する。また、制御盤接続ケーブル１９は、カバー部材１２の鉛直方向の下方に向けて延出される。
【００４１】
また、配線基板１４を操作パネル１１と対向しない突出面２３ｂに設けることで、第２操作盤１０の薄型化を図ることができ、乗りかご１２０と昇降路１１０（図１参照）の間隔を狭めることが可能となる。
【００４２】
なお、本例では、突出面２３ｂを操作パネル１１の鉛直方向の下方に配置した例を説明したが、これに限定されるものではない。例えば、突出面２３ｂは、操作パネル１１よりも鉛直方向の上方に配置してもよく、あるいは操作パネル１１の水平方向の側方に配置してもよい。そして、取付窓８ａの周縁部における突出面２３ｂが配置される側を、配線基板１４と接続されるボタン側接続ケーブル１８が通過する。
【００４３】
なお、配線基板１４は、カバー部材１２に収納されてかご室２の外側である昇降路１１０側に配置される。そのため、配線基板１４には、結露が生じるおそれがある。そして、配線基板１４が操作パネル１１よりも鉛直方向の上方に配置された場合、配線基板１４に生じた結露水がボタン側接続ケーブル１８を伝って、操作ボタン群３０に侵入するおそれがある。
【００４４】
配線基板１４に生じた結露水が操作ボタン群３０へ侵入することを防ぐために、配線基板１４は、操作パネル１１よりも鉛直方向の下方に配置することが好ましい。そのため、配線基板１４が取り付けられるカバー部材１２の突出面２３ｂは、操作パネル１１の鉛直方向の上方よりも下方に配置することが好ましい。
【００４５】
図７に示すように、支持部材１７は、取付ボルト２６と、取付ボルト２６と締結される取付ナット２７と、スペーサ２８とを有している。取付ボルト２６は、突出面２３ｂに設けた取付孔３６及び配線基板１４に設けた取付孔１４ｃを貫通する。そして、取付ボルト２６は、突出面２３ｂから第２側板８の裏面８ｃに向けて突出する。このとき、取付ボルト２６における第２側板８側の先端部と第２側板８の裏面８ｃとの間には、隙間が形成されている。
【００４６】
このように、突出面２３ｂに支持部材１７を設けたことで、取付窓８ａの周縁部における鉛直方向の下部に第２側板８が変形するような強い荷重が加わった際には、突出面２３ｂに設けた支持部材１７の取付ボルト２６に第２側板８が接触する。そして、第２側板８に加わった荷重は、支持部材１７を介してカバー部材１２に伝達される。これにより、第２側板８に加わった荷重は、支持部材１７及びカバー部材１２に分散される。その結果、取付窓８ａの周縁部におけるボタン側接続ケーブル１８が通過する箇所を容易に補強することができる。
【００４７】
また、支持部材１７を棒状の取付ボルト２６により構成したことで、突出面２３ｂと第２側板８における支持部材１７の周囲にボタン側接続ケーブル１８が挿通可能な空間部Ｓ１（図３及び図７参照）を形成することができる。これにより、操作パネル１１の操作ボタン群３０から配線基板１４に向けてボタン側接続ケーブル１８を容易に延出させることができ、第２操作盤１０の取付作業を容易に行うことができる。
【００４８】
また、取付ナット２７は、取付ボルト２６における先端部から取付ボルト２６に螺合される。これにより、配線基板１４がカバー部材１２の突出面２３ｂに締結固定される。なお、取付ボルト２６における配線基板１４と突出面２３ｂの間には、スペーサ２８が介在される。スペーサ２８は、配線基板１４と突出面２３ｂとの間隔を調整することができる。
【００４９】
なお、本例では、取付ボルト２６の先端部と第２側板８との間に隙間を形成した例を説明したが、これに限定されるものではなく、取付ボルト２６の先端部を第２側板８の裏面８ｃに接触させてもよい。
【００５０】
しかしながら、取付ボルト２６の先端部と第２側板８の裏面８ｃとを接触させた場合、乗りかご１２０の昇降動作や扉部３の開閉動作等によって生じる第２側板８の振動により、取付ボルト２６と第２側板８が当接し、異音が生じる場合もある。そのため、取付ボルト２６の先端部と第２側板８との間には、第２側板８が振動する際には取付ボルト２６と接触せずに、第２側板８が変形するような強い荷重が加わった際に取付ボルト２６と接触する程度の隙間を設けることが好ましい。
【００５１】
さらに、取付ボルト２６の先端部と第２側板８の裏面８ｃとの間に、クッション部材を設けてもよい。これにより、第２側板８と取付ボルト２６が当接することで生じる異音の発生を防ぐと共に、第２側板８に加わる荷重をより効果的に分散させることができる。
【００５２】
また、本例では、支持部材１７として、配線基板１４をカバー部材１２に固定するための取付ボルト２６を適用した。これにより、取付窓８ａの周縁部を補強するために、新たに部材を設ける必要がなく、部品点数が増加することを防ぐことができる。
【００５３】
さらに、配線基板１４を固定する取付ボルト２６は、予めボタン側接続ケーブル１８と干渉しない箇所に設けられている。そのため、支持部材１７を配置する箇所を検討する手間を省くこともできる。
【００５４】
なお、本例では、支持部材１７として配線基板１４をカバー部材１２に固定するための取付ボルト２６を用いる例を説明したが、これに限定されるものではない。例えば、支持部材１７として、配線基板１４を固定するための取付ボルト２６とは別の棒状の部材をカバー部材１２の突出面２３ｂに設けてもよい。
【００５５】
また、支持部材１７の形状としては、円柱状や角柱状等、その他各種の棒状の形状であればよく、支持部材１７における第２側板８の裏面８ｃ側の端部を半球状に形成してもよい。
【００５６】
なお、本発明は上述しかつ図面に示した実施の形態に限定されるものではなく、特許請求の範囲に記載した発明の要旨を逸脱しない範囲内で種々の変形実施が可能である。上述した実施の形態例では、本発明が適用される操作盤として、横型操作盤である第２操作盤１０を説明したが、これに限定されるものではない。例えば、縦側操作盤である第１操作盤９に本発明を適用してもよい。
【符号の説明】
【００５７】
１…エレベータ、  ２…かご室、  ２ａ…出入り口、  ３…扉部、  ７…第１側板、  ８…第２側板、  ８ａ…取付窓、  ８ｂ…表面、  ８ｃ…裏面、  ９…第１操作盤、  １０…第２操作盤、  １１…操作パネル、  １１ａ…一面、  １１ｂ…他面、  １２…カバー部材、  １４…配線基板、  １４ａ…第１コネクタ、  １４ｂ…第２コネクタ、  １４ｃ…取付孔、  １７…支持部材、  １８…ボタン側接続ケーブル、  １９…制御盤接続ケーブル、  ２３…主面部、  ２３ａ…対向面、  ２３ｂ…突出面、  ２４Ａ…第１側面部、  ２４Ｂ…第２側面部、  ２６…取付ボルト、  ２７…取付ナット、  ２８…スペーサ、  ３０…操作ボタン群、  ３６…取付孔、  １００…巻上機、  １１０…昇降路、  １２０…乗りかご
【図１】
0006316157.tif 000002
【図２】
0006316157.tif 000003
【図３】
0006316157.tif 000004
【図４】
0006316157.tif 000005
【図５】
0006316157.tif 000006
【図６】
0006316157.tif 000007
【図７】
0006316157.tif 000008